(57)【特許請求の範囲】
【請求項１】
撮像装置であって、
撮像手段と、
前記撮像装置の姿勢を検知する姿勢検知手段と、
接眼ファインダーの接眼部を介して視認可能な表示手段における第１の辺に沿う第１の領域と、前記第１の領域と異なる領域であって、前記表示手段における前記第１の辺と対向する第２の辺に沿った第２の領域とのうち、前記姿勢検知手段で検知した姿勢にかかわらず前記撮像手段で撮像された画像を前記第１の領域に表示し、撮影に関する情報群を、前記姿勢検知手段で検知した姿勢に応じて異なる配置で前記表示手段に表示するように制御する表示制御手段と
を有し、
前記表示制御手段は、
前記撮像手段で撮像された画像が第１のアスペクト比である場合には前記撮像手段で撮像された画像を前記第１の辺に隣接して表示するように制御し、
前記撮像手段で撮像された画像が第２のアスペクト比である場合には前記撮像手段で撮像された画像の中央が前記第１の領域の中央に位置するように表示し、前記第１の領域のうち表示された該画像の両側に余白領域を表示するように制御することを特徴とする撮像装置。
【請求項２】
前記第１の辺は上辺であり、前記第２の辺は下辺であること特徴とする請求項１に記載の撮像装置。
【請求項３】
前記接眼ファインダーとは異なる外部から視認可能な第２の表示部を有し、前記第２の表示部においては、前記撮像手段で撮像された画像の中央が前記第２の表示部の中央に位置するように表示し、表示された該画像の両側に均等幅の余白領域を表示するように制御することを特徴とする請求項１に記載の撮像装置。
【請求項４】
前記接眼ファインダーに対する接眼を検知する接眼検知手段を有し、
前記表示制御手段は、前記画像と前記情報とを前記接眼検知手段で接眼を検知した場合に前記接眼ファインダーの内部の前記表示手段に表示し、前記接眼検知手段で接眼を検知されない場合に前記画像と前記情報群とを前記第２の表示部に表示するように制御することを特徴とする請求項３に記載の撮像装置。
【請求項５】
第１の姿勢と、前記第１の姿勢と９０度異なる第２の姿勢と、前記第２の姿勢と１８０度異なる第３の姿勢のうち、第１の姿勢である場合に、前記表示制御手段は、前記第２の領域に前記情報群の少なくとも一部を、前記第１の領域に重なることなく表示するように制御する請求項１乃至４の何れか１項に記載の撮像装置。
【請求項６】
前記姿勢検知手段で検知した姿勢に基づいて、前記情報群のうち少なくとも一部の情報群を、前記表示手段のうち重力方向側の辺に対する相対的な位置関係を維持するように表示することを特徴とする請求項１乃至５の何れか１項に記載の撮像装置。
【請求項７】
前記第１の領域は、前記第１の辺の全体に沿う領域であり、前記第２の領域は、前記第２の辺の全体に沿う領域であることを特徴とする請求項１乃至６の何れか１項に記載の撮像装置。
【請求項８】
前記情報群には、シャッター速度、絞り、露出、感度のうち少なくとも１つの情報が含まれることを特徴とする請求項１乃至７の何れか１項に記載の撮像装置。
【請求項９】
前記画像はライブビュー画像であることを特徴とする請求項１乃至８のいずれか１項に記載の撮像装置。
【請求項１０】
撮像手段を有する撮像装置の制御方法であって、
前記撮像装置の姿勢を検知する姿勢検知ステップと、
接眼ファインダーの接眼部を介して視認可能な表示手段における第１の辺に沿う第１の領域と、前記第１の領域と異なる領域であって、前記表示手段における前記第１の辺と対向する第２の辺に沿った第２の領域とのうち、前記姿勢検知ステップで検知した姿勢にかかわらず前記撮像手段で撮像された画像を前記第１の領域に表示し、撮影に関する情報群を、前記姿勢検知ステップで検知した姿勢に応じて異なる配置で前記表示手段に表示するように制御する表示制御ステップと
を有し、
前記表示制御ステップでは、
前記撮像手段で撮像された画像が第１のアスペクト比である場合には前記撮像手段で撮像された画像を前記第１の辺に隣接して表示するように制御し、
前記撮像手段で撮像された画像が第２のアスペクト比である場合には前記撮像手段で撮像された画像の中央が前記第１の領域の中央に位置するように表示し、前記第１の領域のうち表示された該画像の両側に余白領域を表示するように制御することを特徴とする撮像装置の制御方法。
【請求項１１】
コンピュータを、請求項１乃至９のいずれか１項に記載された撮像装置の表示制御手段として機能させるためのプログラム。
【請求項１２】
コンピュータを、請求項１乃至９のいずれか１項に記載された撮像装置の表示制御手段として機能させるためのプログラムを格納したコンピュータが読み取り可能な記憶媒体。
【発明の詳細な説明】
【技術分野】
【０００１】
本発明は，撮像装置、撮像装置の制御方法、プログラム及び記録媒体に関する。
【背景技術】
【０００２】
従来よりカメラには光学式のファインダーが用いられていた。しかし、デジタルカメラの登場とともに、モニター表示装置に液晶モニター等の装置が搭載されるようになった。またカメラの姿勢に応じてモニターに表示する表示情報を変更するようなデジタルカメラが提案されている（特許文献１参照）。
【０００３】
また、撮像される画像のアスペクト比と、画像を表示する表示部のアスペクト比が異なる場合に、画像の両側に、画像が表示されない帯状領域（いわゆる、サイドブラックやレターボックス）を設けて画像を表示する方法が知られている（特許文献２参照）。また、表示の応答性が向上するのにつれて、ファインダー表示部にも光学式ファインダーに代わり電子ビューファインダーが搭載されるようになってきた。
【先行技術文献】
【特許文献】
【０００４】
【特許文献１】特開２００７−２０８８５４号公報
【特許文献２】特開２０１２−８０４２８号公報
【発明の概要】
【発明が解決しようとする課題】
【０００５】
撮影画像にはアイコンなどの情報表示は出来るだけ重ならないように表示したほうが、被写体の視認性がよく好適である。そこで、サイドブラックやレターボックスなどの帯状領域が表示される場合には、撮影画像に重畳することなく、帯状領域内に情報表示を行うことが考えられる。しかし、帯状領域が狭い場合にアイコン類がきれいに収まらず、はみ出した部分がライブビュー画像に重なってしまう可能性がある。そこで、帯状領域のスペースをより広く確保する為に、帯状領域を撮像画像の両側ではなく、片側に寄せて表示することも考えられる。
【０００６】
しかしこの場合、特許文献１のように、回転してもユーザから見て同じレイアウトにしようとすると、９０度傾けた縦位置と、２７０度傾けた縦位置（９０度縦位置に対して上下逆さま）の場合はライブビュー画像と帯状領域の描画位置を入れ替える必要がある。例えばカメラを９０度回した縦に構えた場合に、ユーザから見て右側に寄せていた帯状領域を、２７０度回した縦に構えた場合にもユーザから見て右側に寄せようとしたとする。この場合、９０度縦の場合に表示部の上部に寄せていた帯状領域を、２７０度になったことに応じて表示部の下側に寄せる必要がある。すると、撮影画像の描画位置は、表示部の下側に寄っていた位置から、表示部の上側に寄った位置に変更されることとなる。こうすると、ユーザが表示部に表示されたライブビュー画像で同じ被写体を見たままカメラを回転させた場合にも、途中で画像の表示位置が移動することになり、見ていた被写体の位置がずれ、連続性が損なわれる。そのため、ライブビュー画像を見ながらの構図決定作業がし難くなってしまう。
【０００７】
本発明は上述した問題に鑑みてなされたものであり、ライブビュー画像の表示位置の連続性を保ちつつ、視認性のよい情報表示を行うことのできる撮像装置、及びその制御方法を提供することを目的とする。
【課題を解決するための手段】
【０００８】
上記課題を解決するための本発明は、
撮像装置であって、
撮像手段と、
前記撮像装置の姿勢を検知する姿勢検知手段と、
表示手段における第１の辺に沿う第１の領域と、前記第１の領域と異なる領域であって、前記表示手段における前記第１の辺と対向する第２の辺に沿った第２の領域とのうち、前記姿勢検知手段で検知した姿勢にかかわらず前記撮像手段で撮像された画像を前記第１の領域に表示し、撮影に関する情報群を、前記姿勢検知手段で検知した姿勢に応じて異なる配置で表示するように制御する表示制御手段と
を有し、
前記表示制御手段は、
前記撮像手段で撮像された画像が第１のアスペクト比である場合には前記撮像手段で撮像された画像を前記第１の辺に隣接して表示するように制御し、
前記撮像手段で撮像された画像が第２のアスペクト比である場合には前記撮像手段で撮像された画像の中央が前記第１の領域の中央に位置するように表示し、前記第１の領域のうち表示された該画像の両側に余白領域を表示するように制御することを特徴とする。
【発明の効果】
【０００９】
本発明によれば、ライブビュー画像の表示位置の連続性を保ちつつ、視認性のよい情報表示を行うことができる。
【図面の簡単な説明】
【００１０】
【図１】発明の実施形態に対応する撮像装置の一例としてのデジタルカメラの背面外観図及び機能構成の一例を示すブロック図。
【図２】発明の実施形態に対応するデジタルカメラの姿勢について説明するための図。
【図３】発明の実施形態に対応する撮像情報とライブビュービュー画像の表示例。
【図４】発明の実施形態に対応する撮影モード処理の一例を示すフローチャート。
【図５】発明の実施形態に対応する撮像情報とライブビュービュー画像の表示例。
【図６】発明の実施形態に対応する撮像情報とライブビュービュー画像の表示例。
【発明を実施するための形態】
【００１１】
以下、添付の図面を参照して発明の実施形態を説明する。なお、以下では、発明の実施形態を、静止画像と動画との撮影が可能なデジタルカメラとしての撮像装置に本発明の技術的思想を適用した場合を例にして説明する。
【００１２】
＜デジタルカメラの構成＞
図１(a)に発明の実施形態に対応する撮像装置の一例としてのデジタルカメラ１００の背面外観図を示す。表示部２８は、デジタルカメラ１００の外側から視認可能であり、画像や各種情報を表示する表示部である。ファインダー表示部２９は、接眼部を介して視認可能な表示装置を内部に配置し、画像や各種情報を表示する接眼ファインダー（いわゆる電子ファインダー）である。センサー７５は、ファインダー表示部２９の接眼部への接眼を検知するための近接センサーである。本実施形態でファインダー表示部２９はデジタルカメラ１００が備えるものとする。ただし、デジタルカメラ１００が備えていなくとも、アクセサリ装着部に着脱式の電子ファインダー装置を装着できるようにし、映像をデジタルカメラ１００から着脱式の電子ファインダー装置に出力できるようにしてもよい。本実施形態では、表示部２８の表示領域のアスペクト比が横３：縦２、ファインダー表示部２９の表示装置の表示領域のアスペクト比が横４：縦３であるものとする。すなわち、表示部２８の方がファインダー表示部２９よりも表示領域が横長（ワイド）である。シャッターボタン６１はユーザからの撮影指示を受け付ける操作部である。モード切替スイッチ６０はユーザからの各種モードの切り替えを受け付けるための操作部である。コネクタ１１２は接続ケーブル１１１とデジタルカメラ１００とのコネクタである。
【００１３】
操作部７０はユーザからの各種操作を受け付ける各種スイッチ、ボタン、タッチパネル等の操作部材を含む操作部である。ホイール７３は操作部７０に含まれる回転操作可能な操作部材である。電源スイッチ７２は、電源オン、電源オフを切り替えるための押しボタンである。電子ダイヤル７４は、操作感のある回転操作部材であり、割り当てられた各種の機能の設定変更が可能である。記録媒体２００は例えばメモリカードやハードディスク等の記録媒体であり、デジタルカメラ１００に対して着脱可能に構成されている。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【００１４】
図1(ｂ)は、発明の実施形態に対応するデジタルカメラ１００の構成例を示すブロック図である。図1(ｂ)において、撮影レンズ１０３はズームレンズ、フォーカスレンズを含むレンズ群である。シャッター１０１は絞り機能を備えるシャッターである。撮像部２２は被写体の光学像を電気信号に変換するＣＣＤやＣＭＯＳ素子等で構成される撮像素子である。Ａ／Ｄ変換器２３は、撮像部２２から出力されるアナログデータをデジタルデータに変換する。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１５】
画像処理部２４は、Ａ／Ｄ変換器２３からの出力データ、又は、メモリ制御部１５からの出力データに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用画像データはＤ／Ａ変換器１３を介して表示部２８やファインダー表示部２９により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換して表示用画像データを生成し、表示部２８やファインダー表示部２９に逐次転送して表示することでライブビュー表示を行える。本実施形態では、当該表示用画像データを簡単のためにライブビュー画像（スルー画像）とも呼ぶ。
【００１８】
接眼センサー７５は、物体の接近を検知する近接センサ（接眼検知センサ）である。本実施形態では、接眼センサー７５は赤外線近接センサーを用いるものとする。従って投光した赤外線を反射する物体の接近であれば検知できるが、これに限らず、ファインダー表示部２９へのユーザの眼の接近（接眼）を検知することができるものであれば他のセンサであってもよい。出力先切替部９０は、画像の出力先の制御を行う。接眼センサー７５が物体の接近（接眼）を検知した場合、接眼センサー７５はシステム制御部５０に対して接眼感知通知を行う。システム制御部５０は接眼感知通知を受け付けると出力先切替部９０を制御して、表示用画像データの出力先をファインダー表示部２９に切り替える。この時、ファインダー表示部２９に表示される情報は、ファインダー表示部２９専用のレイアウトに従って表示される。
【００１９】
また、接眼センサー７５が物体の接近を検知しなくなった場合、即ちファインダー表示部２９からユーザの眼が離れた場合、接眼センサー７５はシステム制御部５０に対して非接眼感知通知を行う。システム制御部５０は非接眼感知通知を受け付けると、出力先切替部９０を制御して、表示用画像データの出力先を表示部２８に切り替える。この時、表示部２８に表示される情報は、表示部２８専用のレイアウトに従って表示される。
【００２０】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。当該プログラムには、本実施形態にて後述する各種フローチャートを実行するためのプログラムが含まれる。
【００２１】
システム制御部５０は、デジタルカメラ１００全体を制御する。前述した不揮発性メモリ５６に記録されたプログラムを実行することで、後述する本実施形態の各処理を実現する。システムメモリ５２はＲＡＭが用いられ、システム制御部５０の動作用の定数、変数、不揮発性メモリ５６から読み出したプログラム等が展開される。また、システム制御部５０はメモリ３２、Ｄ／Ａ変換器１３、表示部２８等を制御することにより表示制御も行う。システムタイマー５３は各種制御に用いる時間や、内蔵された時計の時間を計測する計時部である。モード切替スイッチ６０、シャッターボタン６１、操作部７０はシステム制御部５０に各種の動作指示を入力するための操作部である。これらは図１（ａ）に示した同一参照番号の構成に対応する。
【００２２】
モード切替スイッチ６０は、システム制御部５０の動作モードを静止画記録モード（静止画撮影モード）、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、メニューボタンに含まれるこれらのモードのいずれかに直接切り替えられる。あるいは、モード切り替えスイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。
【００２３】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２５】
ホイール７３は、操作部７０に含まれる回転操作可能な操作部材であり、方向ボタンと共に選択項目を指示する際などに使用される。ホイール７３を回転操作すると、操作量に応じて電気的なパルス信号が発生し、このパルス信号に基づいてシステム制御部５０はデジタルカメラ１００の各部を制御する。このパルス信号によって、ホイール７３が回転操作された角度や、何回転したかなどを判定することができる。なお、ホイール７３は回転操作が検出できる操作部材であればどのようなものでもよい。例えば、ユーザの回転操作に応じてホイール７３自体が回転してパルス信号を発生するダイヤル操作部材であってもよい。また、タッチセンサよりなる操作部材で、ホイール７３自体は回転せず、ホイール７３上でのユーザの指の回転動作などを検出するものであってもよい（いわゆる、タッチホイール）。電子ダイヤル７４は、操作感のある回転操作部材であり、割り当てられた各種の機能の設定変更が可能である。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。電源スイッチ７２は、デジタルカメラ１００の電源のオンオフを切り替えるための押しボタンである。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。記録媒体インターフェース（Ｉ/Ｆ）１８は、メモリカードやハードディスク等の記録媒体２００とのインターフェースであり、スロット２０１に含まれる。記録媒体２００は、撮影された画像を記録するためのメモリカード等の記録媒体であり、半導体メモリや磁気ディスク等から構成される。
【００２７】
通信部５４は、無線または有線の接続インターフェースを有し、外部装置との間で映像信号や音声信号の送受信を行う。通信部５４を介してデジタルカメラ１００は無線ＬＡＮ（Local Area Network）やインターネットとも接続可能である。通信部５４は撮像部２２で撮像した画像（ライブビュー画像を含む）や、記録媒体２００に記録された画像を外部へ送信可能であり、また、外部機器から画像データやその他の各種情報を受信することができる。
【００２８】
姿勢検知部５５は重力方向に対するデジタルカメラ１００の姿勢を検知する。姿勢検知部５５で検知された姿勢に基づいて、デジタルカメラ１００を横に構えているか、縦に構えているかを判別可能である。姿勢検知部５５としては、加速度センサーやジャイロセンサーなどを用いることができる。姿勢検知部５５による姿勢検知方法については図２を参照して後述する。
【００２９】
デジタルカメラ１００が横に構えられており、かつ、出力先切替部９０によりファインダー表示部２９に表示用画像データが表示されている場合、システム制御部５０は、ファインダー表示部２９における表示情報を横表示用にする。また、デジタルカメラ１００が縦に構えられており、かつ、出力先切替部９０によりファインダー表示部２９に表示用画像データが表示されている場合、システム制御部５０は、ファインダー表示部２９における表示情報を縦表示用にする。この時、デジタルカメラ１００が傾けられた方向に応じて表示内容を切り替える。詳細は、図２及び図３を参照して後述する。
【００３０】
本実施形態に対応するデジタルカメラ１００は、撮像部２２で撮影された画像がデジタルカメラ１００を横に構えて撮影された画像であるか、または縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。
【００３１】
＜デジタルカメラ１００の姿勢＞
図２を参照して、デジタルカメラ１００の姿勢について説明する。図２（ａ）は、デジタルカメラ１００の傾きを説明するための図である。図２（ａ）において、デジタルカメラ１００の表示部２８の表示面及び撮像部２２の撮像面は、鉛直方向２１１と水平方向２１２で定義される平面と平行であり、デジタルカメラ１００の底面が鉛直方向２１１と直交している。また、レンズ光軸は、鉛直方向２１１と水平方向２１２で定義される平面と直交している。その上でデジタルカメラ１００の底面が地表面側に、上面が本体を挟んで地表面とは逆側に位置して保持されていると仮定する。このときのデジタルカメラ１００の輪郭を図２（ａ）では実線で示している。この場合傾き角度θを０度とする。
【００３２】
ここでユーザがデジタルカメラ１００の右側（ホイール７３のある側）を鉛直方向２１１に向かって下げ、左側を鉛直方向２１１とは反対方向に向かって上げた場合、デジタルカメラ１００は角度θで水平方向２１２に対して傾きを有する。姿勢検知部５５は、この角度θを検知し、検知した角度をシステム制御部５０に通知する。角度θは水平方向２１２に対するデジタルカメラ１００の左右方向（撮像部２２の撮像面の左右方向）の角度であるが、水平方向２１２は鉛直方向２１１（重力方向）と垂直な方向であるため、結局角度θは姿勢検知部５５で検知した重力方向に基づいて決定する。なお、撮像面が地表面に対して垂直でない場合でも、この角度θに対応する傾きの角度成分を用いるものとする。
【００３３】
角度θは、図２（ｅ）に示すように時計回りの方向（正方向）にデジタルカメラ１００が傾く場合に正の符号を与えて傾きの変化を検知することができる。また、図２（ｅ）で反時計回りの方向（逆方向）にデジタルカメラ１００が傾く場合に負の符号を与えて傾きの変化を検知することができる。なお、傾きの変化に対する符号の割当ては逆であっても良い。ここで角度θに正の符号が与えられ、角度θが所定角度（例えば９０度）となった場合、デジタルカメラ１００は縦位置９０度で構えられているとみなすことができる。一方、角度θに負の符号が与えられ、角度θが所定角度（例えば９０度）となった場合、デジタルカメラ１００は縦位置２７０度で構えられているとみなすことができる。図２（ｂ）、（ｃ）、（ｄ）は、デジタルカメラ１００の横位置、縦位置９０度、縦位置２７０度における位置をそれぞれ示す。縦位置９０度は、横位置と９０度異なる姿勢であり、縦位置２７０度は、縦位置９０度と１８０度異なる姿勢である。
【００３４】
＜ファインダー表示部２９の表示例＞
図３は、発明の実施形態に対応する撮像情報を表示する場合の撮像情報の配置例を説明するための図である。図３（ａ）〜（ｄ）はいずれも、撮影設定でアスペクト比を３：２に設定した場合の表示例である。すなわち、撮影された画像は３：２で記録され、ライブビュー画像も３：２で表示される。表示部２８とライブビュー画像はアスペクト比が一致するため帯状領域が発生せずに全画面表示される。ファインダー表示部２９とライブビュー画像のアスペクト比は異なるため、帯状領域を付した上で、ライブビュー画像の全体が表示される。より詳しくは、ライブビュー画像の横方向の全体がファインダー表示部２９の横方向の長さと一致する倍率でライブビュー画像が表示される。
【００３５】
図３（ａ）は、図２（ｂ）に示すようにデジタルカメラ１００が横位置に構えられている場合に表示部２８に表示される撮像情報の配置例を示す。この撮像情報（情報群）は、表示部２８においてライブビュー画像と重ねて表示される。本実施形態の撮像情報群には、撮影モード３０１、ストロボモード３０２、ＮＤフィルタモード３０３、バッテリー残量表示３０４、静止画の圧縮率３０５、静止画撮影可能枚数３０６、動画の画質３０７、動画の撮影可能時間３０８、シャッター速度３０９、絞り数値３１０、露出レベル３１１、ＩＳＯ感度３１２等がある。これらの撮像情報は一例であって、これ以外の情報を含むことができる。図３（ａ）の表示例では、撮像情報３０１から３０８が画面上側に表示され、撮像情報３０９から３１２が画面下側に表示されている。
【００３６】
図３（ｂ）〜図３（ｄ）にはファインダー表示部２９における撮像情報とライブビュー画像の表示例を示す。図３（ｂ）〜（ｄ）に、ファインダー表示部２９の表示領域における左上の原点Ｏと、Ｘ方向（横方向）、Ｙ方向（縦方向）を、姿勢に応じてユーザから見た位置が異なることを示すために便宜上それぞれ図示するが、これらは表示されるものではない。この撮像情報の一部は、ファインダー表示部２９においてライブビュー画像と重ねて表示される。図３（ｂ）は、図２（ｂ）に示すようにデジタルカメラ１００が横位置に構えられている場合にファインダー表示部２９に表示される撮像情報の表示例を示す。図３（ｃ）は、図２（ｃ）に示すようにデジタルカメラ１００が縦位置９０度に構えられている場合にファインダー表示部２９に表示される撮像情報の表示例を示す。図３（ｄ）は、図２８（ｄ）に示すように、デジタルカメラ１００が縦位置２７０度に構えられている場合にファインダー表示部２９に表示される撮像情報の表示例を示す。
【００３７】
図３（ｂ）から図３（ｄ）では、ファインダー表示部２９における画面３２０は、ライブビュー画像を表示するための画像表示領域３２１と、帯状領域３２２とに区分されている。画像表示領域３２１はデジタルカメラ１００の姿勢にかかわらずファインダー表示部２９における画面３２０の上辺（Ｙ軸方向上側の辺）全体に沿った領域である。図３（ｂ）〜図３（ｄ）ではいずれも、ライブビュー画像は上辺に隣接して表示される。帯状領域３２２はデジタルカメラ１００の姿勢にかかわらず画面３２０の下辺（Ｙ軸方向下側の辺であり、上辺と対向する辺）の全体に沿った領域である。また、帯状領域３２２は一般に撮像情報の視認性を向上させるために提供されるもので、例えば黒色の背景を有するように表示され、撮影により得られた画像データのライブビュー画像は表示されない。図３（ｂ）に示すように帯状領域３２２は、撮像情報を表示するための領域として使用される。帯状領域３２２に入りきらない一部の撮像情報は画像表示領域３２１に表示される。図３（ｂ）では、撮像情報３０５及び３０７が画像表示領域３２１の左上に表示されている。また、図３（ｃ）、図３（ｄ）のようにデジタルカメラ１００が縦位置９０度または２７０度に位置する場合には、帯状領域３２２が画面の左右に位置するため、画像表示領域３２１の下側の領域に撮像情報の一部を表示し、残りを帯状領域３２２に表示している。図３（ｃ）及び（ｄ）の例では、撮像情報３０２、３０９、３１０、３１１、３１２及び３０６を画像表示領域３２１においてユーザから見た下側に示し、残りを帯状領域３２２に表示している。但し、図３（ｄ）の例では、撮像情報３０５及び３０７は画像表示領域３２１においてユーザから見た左上に表示されている。
【００３８】
このように、画面に表示すべき撮像情報のうち一部の情報は、デジタルカメラ１００の位置が変った場合であっても、ユーザに対して見える位置が実質的に変化しないように画面上の位置を決定することができる。具体的には、姿勢検知部５５が検知した姿勢に応じて表示領域のうち地表面方向に位置する辺（重力方向側の辺）に対する相対的な位置関係を維持するように表示される。よって、図３（ｂ）、（ｃ）、（ｄ）のいずれの場合においても、撮像情報３０５、３０７は画面においてユーザから見た左上に位置し、撮像情報３０２、３０９、３１０、３１１、３１２及び３０６は画面においてユーザから見た下側に位置する。このようにユーザに対して見える位置が変化しないようにする情報には、例えばシャッター速度、絞り、露出及び感度のうち少なくともいずれかに関する情報を含むことができるが、これ以外の情報を更に含めても良い。これは、ユーザがこれらの撮像情報の設定値を直ちに把握できるようにするためである。また本実施形態では、帯状領域３２２の画面での物理的な位置はデジタルカメラ１００の向きが変った場合でも変更されないので描画位置を変更する必要がない。よって、ライブビュー画像を見ながらデジタルカメラ１００の持ち方を変えて回転させている間にライブビュー画像の表示位置が変わってしまうといった、描画の連続性に関する問題は生じない。
【００３９】
＜画面遷移制御＞
次に、発明の実施形態の画面遷移制御について、図４のフローチャートを参照して説明する。図４は、デジタルカメラ１００における撮影モード処理（例えば静止画記録モードの処理）の一例を示すフローチャートである。この処理は、システム制御部５０が不揮発性メモリ５６等に格納されたプログラムをシステムメモリ５２に展開して実行することにより実現される。デジタルカメラ１００を起動して撮影モードに設定すると、図４の処理を開始する。
【００４０】
システム制御部５０は、静止画記録モードを開始すると、まずＳ４００にて初期表示処理を行う。初期表示処理には、例えば不揮発性メモリ５６から撮影に関する各種設定値を取得してシステムメモリ５２に格納したり、撮像部２２からの画像データを表示するライブビュー表示（スルー表示）したりすることを含む。ライブビュー（ＬＶ）表示とは、撮像部２２で撮像されている画像を記録媒体２００に記録することなくほぼリアルタイムの動画像を表示部２８に表示するもので、これを見て撮影者は構図・画角の確認や撮影のタイミングを計ることができる。
【００４１】
続くＳ４０１では、システム制御部５０は、不揮発性メモリ５６等に格納された出力先情報もしくは、接眼センサー７５より取得した情報より、出力先を取得する。続くＳ４０２では、システム制御部５０は、Ｓ４０１より取得した出力先情報を基に、出力先の判定を行う。出力先がファインダー表示部２９側であればＳ４０３に移行する。一方出力先が表示部２８側であればＳ４１２に移行する。
【００４２】
Ｓ４０３では、システム制御部５０は、ファインダー表示部２９に表示する画像データのライブビュー画像を表示する。この時、ライブビュー画像は図３（ｂ）に示したようにファインダー表示部２９に対して片方（Ｙ軸方向上側）に寄せた画像表示領域３２１に表示をし、もう片方（Ｙ軸方向下側）に帯状領域３２２を残した表現とする。本実施形態ではライブビュー画像を表示する画像表示領域３２１と帯状領域３２２の位置関係は姿勢によらず一定とする。このようにすることで、前述のように、ライブビュー画像の表示位置の連続性を保つことができる。また、ファインダー表示部２９の上側に被写体像（ライブビュー画像）を配置し、下側に帯状領域３２２を配置することで、一般的な一眼レフカメラの光学ファインダー内と同じような位置関係とすることができる。このような配置とすることで、光学ファインダーに慣れ親しんだユーザであっても、電子ファインダーであるファインダー表示部２９を違和感なく視認して使用することができる。なお、ライブビュー画像は、ユーザから見た被写体像の向きが正しく視認できるように、姿勢によらず回転せずに表示する。ライブビュー画像を表示した後Ｓ４０４に移行する。
【００４３】
Ｓ４０４では、システム制御部５０は、姿勢検知部５５より姿勢情報を取得する。続くＳ４０５においてシステム制御部５０は、姿勢検知部５５より取得した姿勢情報に基づいてデジタルカメラ１００が９０度基準の姿勢（９０度回転した縦姿勢）か否かを判断する。もし９０度基準であると判断した場合（Ｓ４０５で「ＹＥＳ」）、Ｓ４０８へ移行する。９０度基準では無いと判断した場合（Ｓ４０５で「ＮＯ」）、Ｓ４０６へ移行する。この時の９０度基準とは、デジタルカメラ１００の傾きが９０度と検出された場合に相当する。また、正確に＋９０度でなくても、９０度を含む一定範囲の角度であってもよい。例えば、図２（ｅ）に示したように、傾きθが＋９０度に対し±α度の角度については９０度基準と判定することができる。αの大きさは任意に設定することができる。
【００４４】
次にＳ４０６では、システム制御部５０は、姿勢検知部５５より取得した姿勢情報を基に、デジタルカメラ１００が２７０度基準の姿勢（２７０度回転した縦姿勢）か否かを判定する。もし、２７０度基準であると判断した場合（Ｓ４０６で「ＹＥＳ」）、Ｓ４０９へ移行する。２７０度基準では無いと判断した場合（Ｓ４０６で「ＮＯ」）、Ｓ４１０へ移行する。この時の２７０度基準とは、デジタルカメラ１００の傾きが−９０度と検出された場合に相当する。正確に−９０度でなくても、−９０度を含む一定範囲の角度であってもよい。例えば、図２（ｅ）に示したように、傾きθが−９０度に対し±α度の角度については２７０度基準と判定することができる。ここでもαの大きさは任意に設定することができる。
【００４５】
Ｓ４１０では、システム制御部５０は不揮発性メモリ５６等に格納された水平位置対応の撮像情報を取得する。表示情報はファインダー表示部２９に表示されたライブビュー画像に重ねて表示するために用いられる。このときデジタルカメラ１００の姿勢が水平であるため、図３（ｂ）に示すようにライブビュー画像はユーザから見た上側の画像表示領域３２１に表示され、帯状領域３２２がユーザから見た下側の表示になっている。データ取得後Ｓ４１１へ処理が進む。
【００４６】
Ｓ４０８では、システム制御部５０は不揮発性メモリ５６等に格納された９０度位置対応の撮像情報を取得する。この表示情報はファインダー表示部２９に表示されたライブビュー画像に重ねて表示するために用いられる。このときデジタルカメラ１００の姿勢が９０度であるため、図３（ｃ）に示すようにライブビュー画像はユーザから見た右側の画像表示領域３２１に表示され、帯状領域３２２がユーザから見た左側の表示になる。また、デジタルカメラ１００は縦方向に位置しているが、撮像情報が横にならないように、アイコン類なども縦方向へ回転させている。また、各アイコンを同じ位置で回転させるのではなく、表示位置を変更して、できるだけ横表示の時と同じような表示内容になるように移動して配置している。但し、ファインダー表示部２９の縦横比が異なるために横表示の配置のままでは入りきらないアイコンが出てくる。これらのアイコンは帯状領域３２２に配置することで、ライブビュー画像に極力被らない表示データとなっている。データ取得後、Ｓ４１１へ処理が進む。
【００４７】
Ｓ４０９では、システム制御部５０は不揮発性メモリ５６等に格納された２７０度位置対応の撮像情報を取得する。この撮像情報はファインダー表示部２９に表示されたライブビュー画像に重ねて表示するために用いられる。このときデジタルカメラ１００の姿勢が２７０度であるため、図３（ｄ）に示すようにライブビュー画像が左側の画像表示領域３２１に表示され、帯状領域３２２がユーザから見た右側の表示になる。また、デジタルカメラ１００は縦方向に位置しているが、撮像情報が横にならないように、アイコン類なども縦方向へ回転させている。また、各アイコンを同じ位置で回転させるのではなく、表示位置を変更して、できるだけ横表示の時と同じような表示内容になるように移動して配置している。但し、ファインダー表示部２９の縦横比が異なるために横表示の配置のままでは入りきらないアイコンが出てくる。これらのアイコンは帯状領域３２２に配置することで、ライブビュー画像に極力被らない表示データとなっている。よって、９０度基準の時とは異なった配置となっている。データ取得後、Ｓ４１１へ処理が進む。
【００４８】
Ｓ４１２ではシステム制御部５０は、ライブビュー画像を表示部２８に表示する。ライブビュー画像を表示した後、Ｓ４１３においてシステム制御部５０は不揮発性メモリ５６等に格納された表示部２８対応の撮像情報を取得する。この撮像情報は表示部２８に表示されたライブビュー画像に重ねて表示される。このときの表示例は図３（ａ）に示すとおりである（撮影設定のアスペクト比が３：２の場合）。データ取得後、Ｓ４１１へ処理が進む。
【００４９】
Ｓ４１１では、Ｓ４０８、Ｓ４０９、Ｓ４１０またはＳ４１３で取得した撮像情報を表示先に合わせてファインダー表示部２９または表示部２８においてライブビュー画像と重ねて表示し、Ｓ４１４へ処理が進む。Ｓ４１４では、デジタルカメラ１００の姿勢が変化したかの検出を行い、変化があった場合（Ｓ４１４で「ＹＥＳ」）、Ｓ４０７へ移行する。一方、姿勢に変化が無い場合（Ｓ４１４で「ＮＯ」）、Ｓ４１５へ処理が進む。
【００５０】
Ｓ４０７では、システム制御部５０はファインダー表示部２９によるファインダー表示中か否かを判定する。ファインダー表示中であれば（Ｓ４０７で「ＹＥＳ」）、Ｓ４０４に戻り姿勢情報を取得する。一方、ファインダー表示中でなければ（Ｓ４０７で「ＮＯ」）Ｓ４１５に移行する。Ｓ４１５では、システム制御部５０は出力先の更新があったかを判断し、切替があった場合（Ｓ４１５で「ＹＥＳ」）、Ｓ４０１に戻って処理を繰り返す。一方、出力先の更新が無かった場合（Ｓ４１５で「ＮＯ」）、Ｓ４１６へ移行する。Ｓ４１６では、撮影指示が行われたかを判断し、撮影指示が行われた場合（Ｓ４１６で「ＹＥＳ」）、Ｓ４１７で撮影処理を行う。撮影処理では、撮影用の各種パラメータが撮影シーンに適したパラメータに設定され撮影動作が行われる。一方、撮影指示が行われなかった場合（Ｓ４１６で「ＮＯ」）、Ｓ４１８へ処理が進む。
【００５１】
Ｓ４１８では、その他の操作があったか否かを判定する。その他の操作とは、例えば、操作部７０の操作部に対する操作や、タッチパネルへのボタンアイコン以外に対する操作（例えば他のボタンアイコンに対する操作等）等を含む。その他の操作では、例えば記録する画像のアスペクト比を切り替えることができる。記録する画像のアスペクト比が切り替えられると、設定されたアスペクト比に合わせてライブビュー画像の帯状領域の表示も変更される。記録する画像のアスペクト比として設定可能なアスペクト比には、例えば１：１、４：３、３：２、１６：９があるものとするが、これに限るものではない。その他の操作があったと判定されると（Ｓ４１８で「ＹＥＳ」）、Ｓ４１９に進んでその他の操作に応じた処理を実行し、Ｓ４２０に進む。その他の操作が無かったと判定されると（Ｓ４１８で「ＮＯ」）Ｓ４２０へ進む。Ｓ４２０では、モードの変更操作があったか否かを判定する。モードの変更操作には、例えば動画記録モードへの切替や再生モードへの遷移などを含む。モード変更操作がなかったと判断されると（Ｓ４２０で「ＮＯ」）Ｓ４１４へ戻って処理を繰り返す。一方、モード変更操作があった場合（Ｓ４２０で「ＹＥＳ」）、本静止画撮影モードの処理を終了する。
【００５２】
上述の例では、記録される画像のアスペクト比の設定が３：２の場合を説明したが、１６：９に設定された場合には、より横長（ワイド）な画像となる。この場合の表示例はそれぞれ次のような表示となる。
・出力先が表示部２８（Ｓ４１３経由の表示）：図５（ａ）
・出力先がファインダー表示部２９で、横位置（Ｓ４０６Ｎｏ）の場合：図５（ｂ）
・出力先がファインダー表示部２９で、９０度縦位置（Ｓ４０５Ｙｅｓ）の場合：図５（ｃ）
・出力先がファインダー表示部２９で、２７０度縦位置（Ｓ４０６Ｙｅｓ）の場合：図５（ｄ）
【００５３】
図５（ｂ）〜図５（ｄ）に示す通り、アスペクト比が１６：９の場合でも、画像表示領域３２１は、ファインダー表示部２９の表示装置の表示領域の片方（Ｙ軸方向上側）に寄せ、もう片方（Ｙ軸方向下側）に帯状領域３２２を残した表現とする。アスペクト比が１６：９であるため、３：２の場合よりも帯状領域３２２の幅が広くなる。一方、表示部２８のアスペクト比３：２と、記録する画像のアスペクト比１６：９とが異なるため、表示先が表示部２８である場合にも、帯状領域を表示する必要がある。表示部２８では、ファインダー表示部２９とは異なり、帯状領域(余白領域）はライブビュー画像の両側（Ｙ軸方向上下）に均等幅で表示する（図５（ａ））。すなわち、１６：９のライブビュー画像の中心を表示部２８の中心に合わせて表示し、余白の領域を黒塗り表示する。
【００５４】
なお、記録される画像の設定が３：２では無い場合、例えば１６：９の場合のファインダー表示部２９での表示を、図５（ｂ）〜（ｄ）の様な表示形態ではなく、図６（ｂ）〜（ｄ）のような表示形態としても良い。この場合の表示例はそれぞれ次のような表示となる。
・出力先が表示部２８（Ｓ４１３経由の表示）：図６（ａ）（図５（ａ）と同一）
・出力先がファインダー表示部２９で、横位置（Ｓ４０６Ｎｏ）の場合：図６（ｂ）
・出力先がファインダー表示部２９で、９０度縦位置（Ｓ４０５Ｙｅｓ）の場合：図６（ｃ）
・出力先がファインダー表示部２９で、２７０度縦位置（Ｓ４０６Ｙｅｓ）の場合：図６（ｄ）
【００５５】
図６（ｂ）〜図６（ｄ）に示す通り、アスペクト比が１６：９の場合、ファインダー表示部２９の表示装置の表示領域の片方、Ｙ軸方向下辺に沿って所定幅の帯状領域３２２を表示する。これは、図３（ｂ）〜（ｄ）で説明した例と同じであり、帯状領域３２２の幅も図３（ｂ）〜（ｄ）と同じである。そして、帯状領域３２２以外の領域の中央に画像表示領域３２１を設け、残った余白領域６０１ａ、６０１ｂ（画像表示領域３２１のＹ軸方向上下両側に設けられる）を黒塗り表示する。図６（ｂ）〜図６（ｄ）の例では、帯状領域３２２と余白領域６０１ａ、６０１ｂの区別をするために別の色で示しているが、帯状領域３２２と余白領域６０１ａ、６０１ｂとをいずれも黒塗りで表示する等、ユーザから見て区別がつかないようにしても良い。このようにすると、姿勢にかかわらずファインダー表示部２９の表示装置の表示領域のＹ軸方向下辺に沿った帯状領域３２２に撮像情報表示を視認性良く表示することができる。また、図５（ｂ）〜（ｄ）のアスペクト比１６：９の表示例では、図３（ｂ）〜（ｄ）のアスペクト比３：２の表示例とはライブビュー画像の表示領域３２２の中心が異なっている。従って、アスペクト比の設定を変えるとライブビュー画像の描画位置が変わってしまいユーザに違和感を感じさせる可能性がある。これに対し、図６（ｂ）〜（ｄ）のように表示すれば、図３（ｂ）〜（ｄ）のアスペクト比３：２の表示例とはライブビュー画像の表示領域３２２の中心が同じである。従って、アスペクト比の設定切替えに伴うライブビュー画像の表示位置のズレをユーザに感じさせることはない。
【００５６】
以上のように、本実施形態に対応する撮像装置であるデジタルカメラ１００では、装置の姿勢に応じてファインダー表示部２９における表示を制御することができる。具体的に、ファインダー表示部２９における画像表示領域３２１の位置を、画面内で固定的に決定することができる。これにより、デジタルカメラ１００の姿勢が変っても画像表示領域３２１のファインダー表示部２９における位置は変化せず、ライブビュー画像の描画位置を姿勢に応じて変更する必要はない。
【００５７】
その一方で、ファインダー表示部２９においてユーザに提供される撮像情報の表示位置はデジタルカメラ１００の姿勢に応じて画面内での位置を変化させることができる。その際、画面内での撮像情報の位置は、ユーザからの視点との関係で、特定の撮像情報が見える位置が実質的に変化しないように決定される。当該特定の撮像情報には、例えばシャッター速度、絞り、露出及び感度のうち少なくともいずれかに関する情報を含むことができる。また、当該特定の撮像情報以外の情報は、帯状領域３２２を利用して表示することができる。これにより、撮像装置においてライブビュー画像を表示するための広い領域を確保すると同時に、撮像情報の視認性の高い撮影が可能となる。
【００５８】
以上で説明したシステム制御部５０の制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５９】
また、上述した実施形態においては、本発明をデジタルカメラ１００に適用した場合を例にして説明したが、これはこの例に限定されず、表示部を有し姿勢検知可能な撮像装置であれば適用可能である。すなわち、本発明はカメラ付きのパーソナルコンピュータやＰＤＡ、カメラ付きの携帯電話端末や携帯型の画像ビューワ、カメラ付きのゲーム機、カメラ付きの電子ブックリーダーなどに適用可能である。
【００６０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
0006579899.tif 000002
【図２】
0006579899.tif 000003
【図３】
0006579899.tif 000004
【図４】
0006579899.tif 000005
【図５】
0006579899.tif 000006
【図６】
0006579899.tif 000007